(57)【要約】  使用者別特性に応じてカスタマイズ型栄養剤を調剤できる個人別カスタマイズ型栄養剤調剤装置を開示する。使用者別特性に応じて栄養剤を調剤するための栄養剤調剤装置は、個人別栄養剤処方箋データを生成するデータ処理部と、個人別栄養剤処方箋データによって互いに異なる栄養剤顆粒を粒単位で独立的に供給する複数の供給部と、栄養剤顆粒を包装する包装部とを含む。
2015533331.tif 000002
【特許請求の範囲】
【請求項１】
使用者別特性に応じて栄養剤を調剤するための栄養剤調剤装置において、
個人別栄養剤処方箋データを生成するデータ処理部；
前記個人別栄養剤処方箋データによって互いに異なる栄養剤顆粒を粒単位で独立的に供給する複数の供給部；及び
前記栄養剤顆粒を包装する包装部；
を含むことを特徴とする個人別カスタマイズ型栄養剤調剤装置。
【請求項２】
前記各供給部が、それぞれの前記栄養剤顆粒を１回服用量だけ粒単位で供給し、
前記包装部が、１回服用量単位別に前記栄養剤顆粒を包装する請求項１に記載の個人別カスタマイズ型栄養剤調剤装置。
【請求項３】
前記供給部が、
前記栄養剤顆粒が貯蔵される貯蔵部；及び
前記貯蔵部から前記栄養剤顆粒を粒単位で排出する排出部；
を含む請求項１に記載の個人別カスタマイズ型栄養剤調剤装置。
【請求項４】
前記排出部が、
外周面に沿って収容溝が形成され、前記貯蔵部の出口に隣接するように垂直に回転可能に提供されるピックアッププレート；及び
粒排出ホールが形成され、前記ピックアッププレートの外周面を取り囲むように提供されるガイド部材；を含み、
前記栄養剤顆粒が、前記ピックアッププレートが垂直に回転することによって前記収容溝によって粒単位でピックアップされ、前記ピックアッププレートの回転時、前記収容溝及び前記粒排出ホールが上下方向に互いに一致するように配置される場合、前記収容溝に収容された前記栄養剤顆粒が前記粒排出ホールを介して排出される請求項３に記載の個人別カスタマイズ型栄養剤調剤装置。
【請求項５】
前記排出部が、
前記貯蔵部から供給された前記栄養剤顆粒が粒単位で収容される収容溝が形成された第１のプレート；及び
粒排出ホールが形成され、前記第１のプレートの下部に相対回転可能に提供される第２のプレート；を含み、
前記第１のプレートと前記第２のプレートとの間の相対回転時、前記収容溝及び前記粒排出ホールが上下方向に互いに一致するように配置される場合、前記収容溝に収容された前記栄養剤顆粒が前記粒排出ホールを介して排出される請求項３に記載の個人別カスタマイズ型栄養剤調剤装置。
【請求項６】
前記粒排出ホールに隣接するように提供され、前記粒排出ホールに接近する前記収容溝から前記栄養剤顆粒を排出するための排出部材をさらに含む請求項５に記載の個人別カスタマイズ型栄養剤調剤装置。
【請求項７】
前記第１のプレートには前記収容溝と連通するようにガイド溝が形成され、
前記排出部材の一部が前記ガイド溝に収容され、
前記粒排出ホールに接近する前記収容溝に収容された前記栄養剤顆粒は、前記排出部材によって加圧されながら排出される請求項６に記載の個人別カスタマイズ型栄養剤調剤装置。
【請求項８】
前記粒排出ホールの一端に隣接するように提供される第１のセンサー；及び
前記粒排出ホールの他端に隣接するように提供される第２のセンサー；をさらに含み、
前記第１のセンサーが、前記粒排出ホールに接近する前記収容溝への前記栄養剤顆粒の収容有無を感知し、
前記第２のセンサーが、前記粒排出ホールを通過した前記収容溝からの前記栄養剤顆粒の排出有無を感知する請求項４または５に記載の個人別カスタマイズ型栄養剤調剤装置。
【請求項９】
前記排出部は、
ピックアップホールが形成され、前記貯蔵部の出口に隣接するように回転可能に提供されるピックアップローラー；及び
前記ピックアップローラーを回転させるための駆動力を提供するアクチュエーター；を含み、
前記栄養剤顆粒が、前記ピックアップローラーが回転することによって、前記ピックアップホールによって粒単位でピックアップされた後で排出される請求項３に記載の個人別カスタマイズ型栄養剤調剤装置。
【請求項１０】
前記ピックアップローラーに連結される連動部材をさらに含み、
前記アクチュエーターが直線駆動力を提供し、前記連動部材は、前記アクチュエーターの直線駆動力を回転駆動力に変換する請求項９に記載の個人別カスタマイズ型栄養剤調剤装置。
【請求項１１】
前記ピックアップローラーによってピックアップされた前記栄養剤顆粒を移送する移送ガイド部をさらに含み、
前記移送ガイド部には、前記栄養剤顆粒を粒単位で移送するための粒移送ホールが形成された請求項９に記載の個人別カスタマイズ型栄養剤調剤装置。
【請求項１２】
前記移送ガイド部には、前記栄養剤顆粒がピックアップされる前に一時的に積載される一時積載部が形成され、
前記一時積載部に積載された前記栄養剤顆粒が、前記ピックアップローラーによってピックアップされた後、前記粒移送ホールを通じて移送される請求項１１に記載の個人別カスタマイズ型栄養剤調剤装置。
【請求項１３】
前記排出部が、前記栄養剤顆粒が前記ピックアップホールに真空吸入できるように真空吸入力を提供する真空吸入部をさらに含む請求項９に記載の個人別カスタマイズ型栄養剤調剤装置。
【請求項１４】
前記真空吸入部の真空圧力を感知する真空圧力感知センサーをさらに含み、
前記真空圧力感知センサーで感知される信号を用いて前記栄養剤顆粒のピックアップ有無を感知する請求項１３に記載の個人別カスタマイズ型栄養剤調剤装置。
【請求項１５】
前記真空吸入部と各々の前記供給部の前記ピックアップローラーとを独立的に連結する複数の連結流路；及び
各々の前記連結流路上に提供され、選択的に前記連結流路のうち少なくともいずれか一つを独立的に遮断する調節バルブ；をさらに含む請求項１３に記載の個人別カスタマイズ型栄養剤調剤装置。
【請求項１６】
前記貯蔵部が、
貯蔵容器；及び
前記貯蔵容器の上部開口部を開閉する開閉部材；
を含む請求項３に記載の個人別カスタマイズ型栄養剤調剤装置。
【請求項１７】
前記貯蔵容器の内部には、前記栄養剤顆粒の流動経路を定義するためのガイドプレートが提供され、
前記栄養剤顆粒が、前記ガイドプレートに沿って前記排出部に案内される請求項１６に記載の個人別カスタマイズ型栄養剤調剤装置。
【請求項１８】
前記貯蔵部は、
貯蔵容器；及び
前記貯蔵容器の内部空間を、前記栄養剤顆粒が貯蔵される貯蔵空間と、除湿剤が収容される収容空間とに区画し、前記貯蔵空間及び前記収容空間を互いに連通させるための連通スロットが形成された区画部材；を含む請求項３に記載の個人別カスタマイズ型栄養剤調剤装置。
【請求項１９】
前記貯蔵部に貯蔵された前記栄養剤顆粒の貯蔵量を感知するための貯蔵量感知センサーをさらに含む請求項３に記載の個人別カスタマイズ型栄養剤調剤装置。
【請求項２０】
前記貯蔵量感知センサーで測定された測定値が予め設定された設定値未満であると判別される場合、警報信号を出力するための警報発生部をさらに含む請求項１９に記載の個人別カスタマイズ型栄養剤調剤装置。
【請求項２１】
前記各供給部から供給された前記栄養剤顆粒を一ヶ所に集合させるためのホッパーをさらに含む請求項１に記載の個人別カスタマイズ型栄養剤調剤装置。
【請求項２２】
前記包装部が、前記栄養剤顆粒をカプセル、薬袋、及びスティック型袋のうちいずれか一つの形態で包装する請求項１に記載の個人別カスタマイズ型栄養剤調剤装置。
【請求項２３】
前記貯蔵部に貯蔵される前記栄養剤顆粒の除湿のためのエアブローイング装置と、前記貯蔵部に流入する空気中の水分流入を遮断するためのフィルタリング手段と、をさらに含む請求項３に記載の個人別カスタマイズ型栄養剤調剤装置。
【請求項２４】
前記データ処理部が、予めデータ化された基準データに基づいて個人別特性に応じた問診データに対応して前記個人別栄養剤処方箋データを生成する請求項１に記載の個人別カスタマイズ型栄養剤調剤装置。
【請求項２５】
前記データ処理部が、前記問診データと前記基準データとを比較した後、前記比較結果によって個人別に要求される特定の栄養剤成分の種類及び含量に対する情報を算出する請求項２４に記載の個人別カスタマイズ型栄養剤調剤装置。
【請求項２６】
前記基準データが１回服用勧奨量を基準にして提供され、前記個人別特性に応じた前記問診データによって前記特定の栄養剤成分別含量が加減可能である請求項２４に記載の個人別カスタマイズ型栄養剤調剤装置。
【請求項２７】
前記問診データが、
使用者の年齢、性別、体重、身長、食習慣、飲酒、喫煙、勤労形態、保有疾患、及び睡眠習慣のうち少なくともいずれか一つに対するデータを含む請求項２６に記載の個人別カスタマイズ型栄養剤調剤装置。
【請求項２８】
前記個人別栄養剤処方箋データが、
ビタミン、無機質、アミノ酸、及び漢方薬のうち少なくともいずれか一つに対する組成比を含む請求項１に記載の個人別カスタマイズ型栄養剤調剤装置。
【請求項２９】
使用者別特性に応じて栄養剤を調剤するための栄養剤調剤システムにおいて、
個人別特性に応じた問診データを入力する入力部；
前記問診データに対応して個人別栄養剤処方箋データを生成するデータ処理部；及び
前記個人別栄養剤処方箋データを受信し、前記個人別栄養剤処方箋データによって栄養剤を調剤する調剤部；
を含むことを特徴とする個人別カスタマイズ型栄養剤調剤システム。
【請求項３０】
前記データ処理部が、予めデータ化された基準データに基づいて前記問診データに対応して前記個人別栄養剤処方箋データを生成する請求項２９に記載の個人別カスタマイズ型栄養剤調剤システム。
【請求項３１】
前記データ処理部が、前記問診データと前記基準データとを比較した後、前記比較結果によって個人別に要求される特定の栄養剤成分の種類及び含量に対する情報を算出する請求項３０に記載の個人別カスタマイズ型栄養剤調剤システム。
【請求項３２】
前記基準データが、１日または１回摂取勧奨量を基準にして提供され、前記個人別特性に応じた前記問診データによって前記特定の栄養剤成分別含量が加減可能である請求項３１に記載の個人別カスタマイズ型栄養剤調剤システム。
【請求項３３】
前記入力部が、前記データ処理部と遠隔通信可能に提供される請求項２９に記載の個人別カスタマイズ型栄養剤調剤システム。
【請求項３４】
前記問診データが、
使用者の年齢、性別、体重、身長、食習慣、飲酒、喫煙、勤労形態、保有疾患、及び睡眠習慣のうち少なくともいずれか一つに対するデータを含み、
前記個人別栄養剤処方箋データが、
ビタミン、無機質、及びアミノ酸のうち少なくともいずれか一つに対する組成比を含む請求項２９に記載の個人別カスタマイズ型栄養剤調剤システム。
【発明の詳細な説明】
【技術分野】
【０００１】
本発明は、栄養剤調剤装置に関し、より詳細には、使用者別特性に応じたカスタマイズ型栄養剤を調剤できる個人別カスタマイズ型栄養剤調剤装置に関する。
【背景技術】
【０００２】
一般に、ビタミンは、３大栄養素であるタンパク質、脂肪、炭水化物と共に、非常に少ない量であっても生理作用の調節に必要な物質であって、体内での合成が不可能であるので、必ず外部から摂取しなければならないものと知られている。
【０００３】
最近、ビタミンの重要性がさらに強調されながら、ビタミンに対するパラダイムが変化している。すなわち、ビタミンは、過去は、ビタミンが不足または欠乏している人がそれによる疾病を治療するために服用するものであったが、現在は、単純に欠乏に対する補充ではなく、多様な疾患を予防・治療するために服用するものと変化している。
【０００４】
一方、ビタミンも、過多に且つ無分別に服用すると副作用を誘発し得るので、服用目的及び個人別特性に応じて適量のビタミンを服用することが好ましい。しかし、ほとんどの需要者等は、自分の健康状態や薬に対して正しく理解しておらず、無分別に多くの種類のビタミンを服用している実情にある。
【０００５】
その結果、最近は、個人別特性に応じて特性化された栄養剤を調剤するための一部の対策が提案されているが、未だに不十分であり、これに対する開発が切実に要求されている。
【発明の概要】
【発明が解決しようとする課題】
【０００６】
本発明は、使用者別特性に応じてカスタマイズ型栄養剤を調剤できる個人別カスタマイズ型栄養剤調剤装置を提供する。
【０００７】
特に、本発明は、個人別特性に応じて特性化されたカスタマイズ型栄養剤を調剤できるようにし、個人別栄養剤処方箋データによってカスタマイズ型栄養剤を正確な組成比で１回服用分ずつ調剤できる個人別カスタマイズ型栄養剤調剤装置を提供する。
【０００８】
また、本発明は、栄養剤調剤工程をより簡素化することができ、それぞれ異なる処方箋条件に応じて迅速な調剤が可能な個人別カスタマイズ型栄養剤調剤装置を提供する。
【課題を解決するための手段】
【０００９】
上述した本発明の各目的を達成するための本発明の好ましい実施例によると、使用者別特性に応じて栄養剤を調剤するための栄養剤調剤装置は、個人別栄養剤処方箋データを生成するデータ処理部と、個人別栄養剤処方箋データによって互いに異なる栄養剤顆粒を粒単位で独立的に供給する複数の供給部と、栄養剤顆粒を包装する包装部とを含む。
【００１０】
データ処理部は、要求される条件に応じて多様な方式で個人別栄養剤処方箋データを生成することができる。一例として、データ処理部は、入力部を通じて入力された個人別特性に応じた問診データに対応して個人別栄養剤処方箋データを生成するように構成することができる。
【００１１】
入力部としては、要求される条件に応じて多様な端末機を使用することができる。ここで、端末機とは、デスクトップコンピューター、ＰＤＡ（Ｐｅｒｓｏｎａｌ  Ｄｉｇｉｔａｌ  Ａｓｓｉｓｔａｎｔ）、スマートフォン、ハンドヘルド（ｈａｎｄｈｅｌｄ）ＰＣ、携帯電話、ノートブック型コンピューター、タブレットコンピューターなどの通常の電気電子装置を含むことができ、端末機の種類及び特性によって本発明が制限または限定されることはない。
【００１２】
参考までに、本発明において、問診データは、使用者自身の個人別特性、例えば、健康状態、習慣などに対するデータを含むことができ、問診データに含まれるデータの種類によって本発明が制限または限定されることはない。一例として、問診データは、使用者の年齢、性別、体重、身長、食習慣、飲酒、喫煙、勤労形態、保有疾患、及び睡眠習慣のうち少なくともいずれか一つに対するデータを含むことができる。
【００１３】
データ処理部は、入力部を通じて入力された問診データに対応して個人別栄養剤処方箋データを生成することができる。一例として、データ処理部は、予めデータ化された基準データと問診データとを比較した後、比較結果によって個人別に要求される特定の栄養剤成分の種類及び含量に対する情報を算出することができる。
【００１４】
本発明において、基準データとは、健康な個々人に要求される食餌中に含まれなければならない栄養剤の種類及び量に対するデータと理解することができ、データ処理部に予めデータ化することができる。一例として、基準データは、１回服用勧奨量を基準にしてデータ化することができる。併せて、個人別特性に応じた問診データによって特定の栄養剤成分別含量が加減可能である。
【００１５】
前記のように生成される個人別栄養剤処方箋データは、個人別特性に応じて特性化された多様な栄養剤成分の種類及び含量に対する情報を含むことができる。一例として、個人別栄養剤処方箋データは、ビタミン、無機質、及びアミノ酸のうち少なくともいずれか一つに対する組成比を含むことができる。
【００１６】
参考までに、本発明において、各供給部から栄養剤顆粒が粒単位で供給されることは、各供給部から同一の時間周期で栄養剤顆粒が一度に一粒ずつ供給されることを意味するものと理解することができる。
【００１７】
供給部の個数及び配置構造は、要求される条件及び設計仕様に応じて多様に変更可能である。一例として、複数の供給部は、直線状に配置されているが、場合に応じては、円状またはその他の形態に配置されることもある。
【００１８】
供給部は、要求される条件及び設計仕様に応じて栄養剤顆粒を粒単位で供給可能な多様な構造で提供することができる。一例として、供給部は、栄養剤顆粒が貯蔵される貯蔵部と、貯蔵部から栄養剤顆粒を粒単位で排出する排出部とを含んで構成することができる。
【００１９】
貯蔵部の構造及び特性は多様に変更可能である。一例として、貯蔵部は、貯蔵容器と、貯蔵容器の上部開口部を開閉する開閉部材とを含んで構成することができる。開閉部材は、貯蔵容器に一端を中心に回転開閉可能に提供することができる。場合に応じて、開閉部材は、通常のスライディング方式でスライド開閉可能に提供することができ、開閉部材の開閉方式によって本発明が制限または限定されることはない。
【００２０】
また、貯蔵容器の内部には、栄養剤顆粒の流動経路を定義するためのガイドプレートを提供することができ、栄養剤顆粒は、ガイドプレートに沿って排出部に案内することができる。一例として、複数のガイドプレートは、互いに異なる高さに配置されるように離隔して交互に提供され、ジグザグ状の流動経路を定義することができる。
【００２１】
他の一例として、貯蔵部は、貯蔵容器と、貯蔵容器の内部空間を、栄養剤顆粒が貯蔵される貯蔵空間と除湿剤が収容される収容空間とに区画し、貯蔵空間及び収容空間を互いに連通させるための連通スロットが形成された区画部材とを含むことができる。
【００２２】
また、貯蔵容器には、貯蔵容器の内部に貯蔵された栄養剤顆粒の貯蔵量を感知するための貯蔵量感知センサーを提供することができ、貯蔵量感知センサーで測定された測定値が予め設定された設定値未満であると判別される場合、警報信号を出力するための警報発生部を提供することができる。
【００２３】
排出部は、貯蔵部から供給される栄養剤顆粒を粒単位で排出可能な多様な構造で提供することができる。
【００２４】
一例として、排出部は、外周面に沿って収容溝が形成され、貯蔵部の出口に隣接するように垂直に回転可能に提供されるピックアッププレートと、粒排出ホールが形成され、ピックアッププレートの外周面を取り囲むように提供されるガイド部材とを含むことができ、栄養剤顆粒は、ピックアッププレートが垂直に回転することによって収容溝によって粒単位でピックアップされ、ピックアッププレートの回転時、収容溝及び粒排出ホールが上下方向に互いに一致するように配置される場合、収容溝に収容された栄養剤顆粒が粒排出ホールを介して排出され得る。
【００２５】
他の一例として、排出部は、貯蔵部から供給された栄養剤顆粒が粒単位で収容される収容溝が形成された第１のプレートと、粒排出ホールが形成され、第１のプレートの下部に相対回転可能に提供される第２のプレートとを含むことができ、第１のプレートと第２のプレートとの間の相対回転時、収容溝及び粒排出ホールが上下方向に互いに一致するように配置される場合、収容溝に収容された栄養剤顆粒が粒排出ホールを介して排出され得る。
【００２６】
参考までに、第１のプレートに対して第２のプレートが相対回転することは、第１のプレートが固定された状態で第２のプレートが回転する方式、及び第２のプレートが固定された状態で第１のプレートが回転する方式を全て含むことを意味するものと理解することができる。
【００２７】
また、排出部は、栄養剤顆粒の排出がより確実に行われるように栄養剤顆粒を排出する排出部材を含むことができる。一例として、粒排出ホールに隣接するように排出部材を提供することができ、排出部材により、粒排出ホールに接近する収容溝から栄養剤顆粒が排出されるように構成することができる。このために、第１のプレートには収容溝と連通するようにガイド溝を形成することができ、排出部材の一部はガイド溝に収容することができ、粒排出ホールに接近する収容溝に収容された栄養剤顆粒は排出部材によって加圧されながら排出され得る。
【００２８】
また、粒排出ホールの一端に隣接するように提供される第１のセンサーと、粒排出ホールの他端に隣接するように提供される第２のセンサーとを含むことができ、第１のセンサーは、粒排出ホールに接近する収容溝への栄養剤顆粒の収容有無を感知し、第２のセンサーは、粒排出ホールを通過した収容溝からの栄養剤顆粒の排出有無を感知することによって、栄養剤顆粒の排出量を正確にカウンティングすることができる。
【００２９】
他の一例として、排出部は、ピックアップホールが形成され、貯蔵部の出口に隣接するように回転可能に提供されるピックアップローラーと、ピックアップローラーを回転させるための駆動力を提供するアクチュエーターとを含むことができ、栄養剤顆粒は、ピックアップローラーが回転することによって、ピックアップホールによって粒単位でピックアップされた後で排出され得る。
【００３０】
ピックアップホールは、栄養剤顆粒を粒単位でピックアップ可能なサイズに形成することができ、ピックアップホールの個数及び離隔間隔は多様に変更可能である。一例として、ピックアップホールは、栄養剤顆粒に対応するサイズを有したり、栄養剤顆粒より相対的に小さいサイズ（または直径）を有するように形成することができる。
【００３１】
アクチュエーターとしては、要求される条件及び設計仕様に応じて多様な方式のアクチュエーターを使用することができ、アクチュエーターとピックアップローラーとの間の連結構造によって本発明が制限または限定されることはない。一例として、アクチュエーターは、直線駆動力を提供するように構成することができ、ピックアップローラーには、アクチュエーターの直線駆動力を回転駆動力に変換するための連動部材を連結することができる。場合に応じては、別途の連結部材を排除し、アクチュエーターの駆動力によってピックアップローラーが直接回転するように構成することもできる。
【００３２】
排出部は、ピックアップローラーによってピックアップされた栄養剤顆粒を移送する移送ガイド部を含むことができ、移送ガイド部には、栄養剤顆粒を粒単位で移送するための粒移送ホールを形成することができる。併せて、移送ガイド部には、貯蔵部から供給された栄養剤顆粒がピックアップされる前に一時的に積載される一時積載部を形成することができ、貯蔵部から供給された栄養剤顆粒は、一時積載部に一時的に積載された状態で、ピックアップローラーによって粒単位でピックアップされた後、粒移送ホールを通じて移送され得る。
【００３３】
また、排出部は、真空吸入部を含むことができ、真空吸入部による真空吸入力により、栄養剤顆粒をピックアップホールに真空吸入方式でピックアップすることができる。併せて、真空吸入部の真空圧力を感知するための真空圧力感知センサーを提供することができ、真空圧力感知センサーで感知される信号を用いて栄養剤顆粒の正常なピックアップ有無を感知することができる。真空圧力感知センサーで既に設定された設定圧力が感知されると、ピックアップホールを通じて栄養剤顆粒が正常にピックアップされたと判断することができ、真空圧力感知センサーで既に設定された設定圧力より低い圧力が感知されると、栄養剤顆粒が非正常的にピックアップされたと判断することができる。場合に応じては、別途の真空吸入部を排除し、単純にピックアップローラーによって栄養剤顆粒が粒単位でピックアップされるように構成することができる。
【００３４】
真空吸入部は、複数の供給部にそれぞれ個別的に提供できるが、これとは異なり、複数の供給部が一つの真空吸入部を共用するように構成することもできる。一例として、真空吸入部と各供給部のピックアップローラーは、複数の連結流路によってそれぞれ独立的に連結することができ、各連結流路上には、選択的に各連結流路のうち少なくともいずれか一つを独立的に遮断する調節バルブを提供することができる。
【００３５】
供給部の下部には、各供給部から供給された栄養剤顆粒を一ヶ所に集合させるためのホッパーを提供することができ、各供給部からホッパーに供給された各栄養剤顆粒は、ホッパーの傾斜安内面に沿って集合された状態で包装部に案内され得る。
【００３６】
一方、包装部は、要求される条件及び設計仕様に応じて多様な方式で集合された栄養剤顆粒を１回服用量単位別に包装するように提供することができる。一例として、包装部は、栄養剤顆粒をカプセル、薬袋、スティック型袋のうちいずれか一つの形態で包装することができ、包装部による包装形態及び方式によって本発明が制限または限定されることはない。
【００３７】
本発明の他の好ましい実施例によると、使用者別特性に応じて栄養剤を調剤するための栄養剤調剤システムは、個人別特性に応じた問診データを入力する入力部と、問診データに対応して個人別栄養剤処方箋データを生成するデータ処理部と、個人別栄養剤処方箋データを受信し、個人別栄養剤処方箋データによって栄養剤を調剤する調剤部とを含む。
【発明の効果】
【００３８】
本発明に係る個人別カスタマイズ型栄養剤調剤装置によると、使用者別特性に応じてカスタマイズ型栄養剤を調剤することができる。
【００３９】
特に、本発明によると、個人別栄養剤処方箋データによってそれぞれ異なる供給部から栄養剤顆粒が粒単位で供給されることによって、カスタマイズ型栄養剤を正確な組成比で１回服用分ずつ調剤することができる。
【００４０】
また、本発明によると、ピックアッププレートの回転時（または第１のプレートと第２のプレートとの間の相対回転時）、収容溝及び粒排出ホールが上下方向に互いに一致するように配置される場合、収容溝に収容された栄養剤顆粒が粒排出ホールを介して排出されることによって、特定の栄養剤顆粒の過供給を防止することができ、より安定的且つ正確に栄養剤顆粒を粒単位で供給することができる。
【００４１】
また、本発明によると、栄養剤顆粒が真空吸入方式で粒単位でピックアップされた後で供給され得るので、特定の栄養剤顆粒の過供給を防止することができ、より安定的且つ正確に栄養剤顆粒を粒単位で供給することができる。
【００４２】
また、本発明によると、個人別栄養剤処方箋データによってそれぞれ異なる供給部から栄養剤顆粒が粒単位で供給されることによって、栄養剤調剤工程をより簡素化することができ、それぞれ異なる処方箋条件に応じて迅速な調剤が可能である。
【００４３】
また、本発明によると、使用者の年齢及び性別のみならず、体重、身長、食習慣、飲酒、喫煙、勤労形態、保有疾患、睡眠習慣などの個人別特性に応じて特性化されたカスタマイズ型栄養剤を調剤することができる。
【００４４】
また、本発明によると、栄養剤の無分別な服用及びそれによる副作用を防止することができ、使用者の健康増進に寄与することができる。
【図面の簡単な説明】
【００４５】
【図１】本発明に係る個人別カスタマイズ型栄養剤調剤装置を示した正面図である。
【図２】本発明に係る個人別カスタマイズ型栄養剤調剤装置を示した平面図である。
【図３】本発明に係る個人別カスタマイズ型栄養剤調剤装置における供給部及び貯蔵部を説明するための図である。
【図４】本発明に係る個人別カスタマイズ型栄養剤調剤装置における供給部及び貯蔵部を説明するための図である。
【図５】本発明に係る個人別カスタマイズ型栄養剤調剤装置における供給部及び貯蔵部の変形例を説明するための図である。
【図６】本発明に係る個人別カスタマイズ型栄養剤調剤装置における供給部及び貯蔵部の変形例を説明するための図である。
【図７】本発明に係る個人別カスタマイズ型栄養剤調剤装置における供給部及び貯蔵部の変形例を説明するための図である。
【図８】本発明に係る個人別カスタマイズ型栄養剤調剤装置における包装部を説明するための図である。
【図９】本発明に係る個人別カスタマイズ型栄養剤調剤装置によって調剤された栄養剤を説明するための図である。
【図１０】本発明の他の実施例に係る個人別カスタマイズ型栄養剤調剤装置を示した図である。
【図１１】本発明の他の実施例に係る個人別カスタマイズ型栄養剤調剤装置における供給部を説明するための図である。
【図１２】本発明の他の実施例に係る個人別カスタマイズ型栄養剤調剤装置における貯蔵部を説明するための図である。
【図１３】本発明の他の実施例に係る個人別カスタマイズ型栄養剤調剤装置における貯蔵部の変形例を説明するための図である。
【図１４】本発明の他の実施例に係る個人別カスタマイズ型栄養剤調剤装置における供給部の作動構造を説明するための図である。
【図１５】本発明の他の実施例に係る個人別カスタマイズ型栄養剤調剤装置における供給部の作動構造を説明するための図である。
【図１６】本発明の他の実施例に係る個人別カスタマイズ型栄養剤調剤装置における真空吸入部を説明するための図である。
【図１７】本発明の他の実施例に係る個人別カスタマイズ型栄養剤調剤装置における供給部の変形例を説明するための図である。
【図１８】本発明に係る個人別カスタマイズ型栄養剤調剤装置において、使用者の特性に応じた個人別栄養剤処方箋データの算出過程を説明するための図である。
【図１９】本発明に係る個人別カスタマイズ型栄養剤調剤装置において、使用者の特性に応じた個人別栄養剤処方箋データの算出過程を説明するための図である。
【図２０】本発明に係る個人別カスタマイズ型栄養剤調剤装置において、使用者の特性に応じた個人別栄養剤処方箋データの算出過程を説明するための図である。
【発明を実施するための形態】
【００４６】
以下、添付の各図面を参照して本発明の好ましい実施例を詳細に説明するが、本発明が実施例によって制限または限定されることはない。本発明を説明するにおいて、公知の機能或いは構成に対する具体的な説明は、本発明の要旨を明瞭にするために省略可能である。
【００４７】
図１は、本発明に係る個人別カスタマイズ型栄養剤調剤装置を示した正面図で、図２は、本発明に係る個人別カスタマイズ型栄養剤調剤装置を示した平面図で、図３及び図４は、本発明に係る個人別カスタマイズ型栄養剤調剤装置における供給部及び貯蔵部を説明するための図である。また、図５乃至図９は、本発明に係る個人別カスタマイズ型栄養剤調剤装置における供給部及び貯蔵部の変形例を説明するための図である。そして、図８は、本発明に係る個人別カスタマイズ型栄養剤調剤装置における包装部を説明するための図で、図９は、本発明に係る個人別カスタマイズ型栄養剤調剤装置によって調剤された栄養剤を説明するための図である。
【００４８】
また、図１８〜図２０は、本発明に係る個人別カスタマイズ型栄養剤調剤装置において、使用者の特性に応じた個人別栄養剤処方箋データの算出過程を説明するための図である。
【００４９】
これら図面に示したように、本発明に係る個人別カスタマイズ型栄養剤調剤装置は、データ処理部２０及び調剤部を含み、使用者の個人別特性に応じて特性化されたカスタマイズ型栄養剤を調剤できるように構成される。
【００５０】
前記データ処理部２０は、個人別栄養剤処方箋データを生成するように提供される。一例として、図１８を参照すると、前記データ処理部２０は、入力部１０を通じて入力された問診データに対応して個人別栄養剤処方箋データを生成するように構成することができる。
【００５１】
すなわち、前記入力部１０は、個人別特性に応じた問診データを入力するために提供することができる。前記入力部１０としては、要求される条件に応じて多様な端末機を使用することができる。ここで、端末機は、デスクトップコンピューター、ＰＤＡ（Ｐｅｒｓｏｎａｌ  Ｄｉｇｉｔａｌ  Ａｓｓｉｓｔａｎｔ）、スマートフォン、ハンドヘルドＰＣ、携帯電話、ノートブック型コンピューター、タブレットコンピューターなどの通常の電気電子装置を含むことができ、端末機の種類及び特性によって本発明が制限または限定されることはない。
【００５２】
参考までに、本発明において、問診データは、使用者自身の個人別特性、例えば、健康状態、習慣などに対するデータを含むことができ、問診データに含まれるデータの種類によって本発明が制限または限定されることはない。
【００５３】
一例として、図１９を参照すると、問診データは、使用者の年齢、性別、体重、身長、食習慣、飲酒、喫煙、勤労形態、保有疾患、及び睡眠習慣のうち少なくともいずれか一つに対するデータを含むことができる。
【００５４】
本発明の実施例においては、問診データの各情報が短答式で入力された例を挙げて説明しているが、要求される条件に応じて各情報をより細分化することができる。食習慣に対する情報の場合は、菜食または肉食などの項目と共に、一日の摂取量に対する細分化された情報を含んで入力することができ、喫煙に対する情報の場合は、一日の喫煙量に対する細分化された情報を含んで入力することができ、飲酒に対する情報の場合は、酒の種類、１回の飲酒量に対する細分化された情報を含んで入力することができる。
【００５５】
前記データ処理部２０は、入力部１０を通じて入力された問診データに対応して個人別栄養剤処方箋データを生成するように提供される。すなわち、前記データ処理部２０は、個人別特性に応じた問診データが入力されると、問診データに基づいて個人別特性に合わせて特性化された個人別栄養剤処方箋データを生成することができる。
【００５６】
一例として、前記データ処理部２０は、予めデータ化された基準データと問診データとを比較した後、前記比較結果により、個人別に要求される特定の栄養剤成分の種類及び含量に対する情報を算出することができる。
【００５７】
本発明において、基準データとは、健康な個々人に要求される食餌中に含まれなければならない栄養剤の種類及び量に対するデータを意味するものと理解することができ、データ処理部２０に予めデータ化することができる。一例として、前記基準データは、１回の服用勧奨量を基準にしてデータ化することができる。併せて、個人別特性に応じた問診データによって特定の栄養剤成分別含量が加減可能である。特定の年齢及び性別に該当する特定の栄養剤成分の１回の服用勧奨量が５ｍｇであるとしても、他の個人別特性（例えば、食習慣、保有疾患など）により、特定の栄養剤成分は５ｍｇより大きいか小さくなるように加減可能である。これとは異なり、基準データが１日の服用勧奨量を基準にしてデータ化されることも可能である。
【００５８】
前記入力部１０とデータ処理部２０は遠隔通信可能に連結できるが、以下では、入力部とデータ処理部２０がインターネットによって連結された例を挙げて説明する。場合に応じては、構内情報通信網（ＬＡＮ）、公衆データ網（ＰＤＮ）、一般電話交換網（ＰＳＴＮ）などのその他の通信網を介して入力部とデータ処理部とを遠隔通信可能に連結することができる。
【００５９】
前記のように生成される個人別栄養剤処方箋データは、個人別特性に応じて特性化された多様な栄養剤成分の種類及び含量に対する情報を含むことができる。一例として、前記個人別栄養剤処方箋データは、ビタミン、無機質、及びアミノ酸のうち少なくともいずれか一つに対する組成比を含むことができる。
【００６０】
図２０を参照すると、個人別栄養剤処方箋データは、ビタミンＡ、ビタミンＢ、ビタミンＣ、ビタミンＤ、ビタミンＥなどの各種ビタミン成分及び含量に対する情報を含むことができる。併せて、ビタミンＢの場合は、ビタミンＢ１（チアミン）、ビタミンＢ２（リボフラビン）、ビタミンＢ３（ナイアシン、ニコチンアミド）、ビタミンＢ４（パントテン酸）などの細分化された情報を含むことができる。
【００６１】
また、個人別栄養剤処方箋データは、Ｃａ（カルシウム）、Ｋ（カリウム）、Ｍｇ（マグネシウム）、Ｃｒ（クロム）、Ｚｎ（亜鉛）などの各種無機質成分及び含量に対する情報を含むことができ、グリシン、ライシン、イソロイシン、メチオニン、リシンなどの各種アミノ酸成分及び含量に対する情報を含むことができる。
【００６２】
前記データ処理部２０で生成された個人別栄養剤処方箋データは、後述する調剤部に直接伝送できるが、場合に応じては、データ処理部で生成された個人別栄養剤処方箋データが入力部（例えば、使用者端末機）に伝送された後、調剤部に伝送されるように構成することも可能である。
【００６３】
併せて、前記個人別栄養剤処方箋データは、通常の使用者が確認可能な文書またはファイルの形態で伝送されることも可能であるが、場合に応じては、特定の使用者のみが確認可能な暗号化された文書またはファイルの形態で伝送されることも可能である。これとは異なり、個人別栄養剤処方箋データをＱＲコード（登録商標）などに変換して伝送することも可能である。
【００６４】
上述したように、本発明によると、使用者の年齢、性別、体重、身長、食習慣、飲酒、喫煙、勤労形態、保有疾患、睡眠習慣などの個人別特性に応じて特性化された個人別栄養剤処方箋データの生成が可能である。一例として、中年以後の女性に対しては、骨粗鬆症を予防するためにカルシウム、マグネシウム、ビタミンＤなどが含まれた栄養剤処方箋が決定され得るが、栄養剤を構成する各成分の含量は、使用者の年齢及び性別のみならず、体重、身長、食習慣、飲酒、喫煙、勤労形態、保有疾患、睡眠習慣などの他の個人別特性に応じて適宜加減可能である。
【００６５】
図１〜図９を参照すると、前記調剤部は、個人別栄養剤処方箋データを受信し、個人別栄養剤処方箋データによって栄養剤を調剤するように構成され、供給部３０及び包装部７０を含む。以下では、データ処理部２０、供給部３０及び包装部７０が専用テーブル９０上に装着された例を挙げて説明する。
【００６６】
前記テーブル９０は、要求される条件及び設計仕様に応じて多様な形状及び構造を有するように提供することができ、テーブル９０の形状及び構造によって本発明が制限または限定されることはない。一例として、テーブル９０は、略四角ボックス状に提供することができ、テーブル９０の上部には、後述する複数の供給部３０を配置することができ、テーブル９０の内部には、後述する包装部７０を配置することができる。併せて、前記テーブル９０の内部の状態を作業者が容易に確認できるように、テーブル９０の前面は透明な材質で形成することができる。
【００６７】
また、前記テーブル９０の内部一側には、包装部７０によって所定単位別に包装された栄養剤を排出するための排出コンベヤー９１を形成することができ、前記テーブル９０の上部の他の一側には、ビタミンが調剤される間の全般的な進行状態（例えば、供給量、残量、供給比率など）、調剤環境（例えば、湿度、温度など）及び各種情報を出力したり、特定の機能を行うための入力を受ける入出力部（図示せず）を提供することができる。一例として、前記入出力部は、通常のタッチスクリーン方式で提供することができ、入出力部の種類及び特性によって本発明が制限または限定されることはない。
【００６８】
前記供給部３０は、個人別栄養剤処方箋データによって互いに異なる種類の栄養剤顆粒を粒単位で独立的に供給するために提供される。ここで、各供給部３０から栄養剤顆粒が粒単位で供給されることは、各供給部３０から同一の時間周期で栄養剤顆粒が一度に一粒ずつ供給されることを意味するものと理解することができる。
【００６９】
また、本発明において、栄養剤顆粒は、ビタミン、無機質、アミノ酸、漢方薬及びその他の栄養剤のうち少なくともいずれか一つを含むことができ、栄養剤顆粒の種類及び特性によって本発明が制限または限定されることはない。参考までに、本発明において、栄養剤顆粒（ｇｒａｎｕｌｅ）は、、約０．５ｍｍ〜２ｍｍ程度のサイズ（または直径）を有するように提供できるが、場合に応じては、０．５ｍｍ〜２ｍｍより小さいか大きいサイズの顆粒を使用することも可能である。
【００７０】
前記供給部３０の個数及び配置構造は、要求される条件及び設計仕様に応じて多様に変更可能である。以下では、複数の供給部３０が後述するホッパー６０の上部に直線状に並んで２列に配置された例を挙げて説明する。場合に応じては、複数の供給部が円状またはその他の形態に配置されることもあり、供給部の配置構造によって本発明が制限または限定されることはない。
【００７１】
前記供給部３０は、個人別栄養剤処方箋データによって互いに異なる種類の栄養剤顆粒を粒単位で供給するように構成されるが、以下では、前記供給部３０がそれぞれの栄養剤顆粒を１回の服用量だけ粒単位で供給するように構成された例を挙げて説明する。特定の処方箋データによる栄養剤の１回服用量がＡ成分の顆粒５粒、Ｂ成分の顆粒３粒、Ｃ成分の顆粒２粒で構成される場合、Ａ供給部３０はＡ成分の顆粒を粒単位で５回にわたって供給することができ、Ｂ供給部３０はＢ成分の顆粒を粒単位で３回にわたって供給することができ、Ｃ供給部３０はＣ成分の顆粒を粒単位で２回にわたって供給することができる。場合に応じて、各供給部は、２回または３回の服用量だけ各栄養剤顆粒を粒単位で供給するように構成することもできる。
【００７２】
前記供給部３０は、要求される条件及び設計仕様に応じて栄養剤顆粒を粒単位で供給可能な多様な構造で提供することができる。以下では、前記供給部３０が、栄養剤顆粒が貯蔵される貯蔵部４０と、前記貯蔵部４０から栄養剤顆粒を粒単位で排出する排出部５０とを含んで構成された例を挙げて説明する。
【００７３】
一例として、図３及び図４を参照すると、前記貯蔵部４０は、専用テーブル９０上に固定的に設置することができる。以下では、前記貯蔵部４０が貯蔵容器４１及び開閉部材４２を含んで構成された例を挙げて説明する。
【００７４】
前記貯蔵容器４１は、要求される条件及び設計仕様に応じて円状、四角形状または多角形状などの多様な形態に形成することができる。前記貯蔵容器４１の上部には開口部を形成することができ、貯蔵容器４１の下部には、栄養剤顆粒を排出するための排出孔（図示せず）を形成することができる。
【００７５】
前記開閉部材４２は、貯蔵容器４１の上部開口部を開閉するために提供される。一例として、前記開閉部材４２は、貯蔵容器４１の上部に一端を中心に回転開閉可能に提供することができる。場合に応じて、開閉部材は、通常のスライディング方式でスライド開閉可能に提供することができ、開閉部材の開閉方式によって本発明が制限または限定されることはない。
【００７６】
前記貯蔵容器４１に貯蔵された栄養剤顆粒が一定未満である場合は、開閉部材４２を開放し、開口部を介して栄養剤顆粒を充填することができる。
【００７７】
また、前記貯蔵容器４１の内部には、栄養剤顆粒の流動経路を定義するためのガイドプレート４３を提供することができ、栄養剤顆粒は、ガイドプレート４３に定義される流動経路に沿って排出部５０に案内することができる。
【００７８】
また、前記貯蔵容器４１には、栄養剤顆粒の除湿のためのエアブローイング装置（図示せず）と、空気中の水分流入を防止するためのフィルタリング手段（図示せず）とを備えることができる。
【００７９】
前記排出部５０は、貯蔵部４０から供給される栄養剤顆粒を粒単位で排出できる多様な構造で提供することができる。一例として、前記排出部５０は、ピックアッププレート５２及びガイド部材５４を含んで構成することができる。
【００８０】
前記ピックアッププレート５２は、所定直径を有する円板状に形成することができ、前記貯蔵部４０の出口に隣接するように垂直に回転可能に提供される。ここで、前記ピックアッププレート５２が垂直に回転することは、ピックアッププレート５２が地面に対して水平に配置される回転軸を中心に回転する状態を意味するものと理解することができる。
【００８１】
前記ピックアッププレート５２の外周面に沿っては、貯蔵部４０から供給された栄養剤顆粒を粒単位で収容するための複数の収容溝５２ａが形成される。一例として、前記ピックアッププレート５２の周縁には、複数の収容溝５２ａを円周方向に沿って離隔するように形成することができる。収容溝の個数及び離隔間隔は、要求される条件及び設計仕様に応じて適宜変更可能である。
【００８２】
前記ガイド部材５４は、ピックアッププレート５２の外周面を取り囲むように提供することができ、前記ガイド部材５４には、収容溝５２ａに対応する粒排出ホール５４ａが形成される。一例として、前記ガイド部材５４は、ピックアッププレート５２の外周面の一部を取り囲むように略「Ｃ」字状に形成することができる。併せて、前記栄養剤顆粒が粒排出ホール５４ａをより円滑に通過できるように、粒排出ホール５４ａは、収容溝５２ａより相対的に大きいサイズを有するように形成することができる。場合に応じて、収容溝及び粒排出ホールは、互いに同一のサイズ及び形態を有するように形成することもできる。
【００８３】
参考までに、前記ピックアッププレート５２は、通常の駆動モーターによって回転することができる。前記駆動モーター５３としては、通常のスタンピングモーター、サーボモーター、ステッピングモーター、直流モーター及び交流モーターなどの多様なモーターを使用することができ、駆動モーターの種類及び特性によって本発明が制限または限定されることはない。
【００８４】
このような構造により、前記ピックアッププレート５２が垂直に回転することによって、ピックアッププレート５２の外周面に形成された収容溝５２ａには、栄養剤顆粒を粒単位でピックアップすることができる。このように、収容溝５２ａに栄養剤顆粒がピックアップされた状態で、ピックアッププレート５２の回転時、収容溝５２ａと粒排出ホール５４ａとが垂直方向に沿って互いに一致するように配置される場合、前記収容溝５２ａに収容された栄養剤顆粒が粒排出ホール５４ａを介して排出され得る。すなわち、前記収容溝５２ａと粒排出ホール５４ａとが互いに一致しないように配置された状態では、収容溝５２ａの下部がガイド部材５４によって遮断されることによって収容溝５２ａに収容された栄養剤顆粒が排出され得なく、収容溝５２ａと粒排出ホール５４ａとが上下方向に沿って互いに一致するように配置される場合のみに、収容溝５２ａに収容された栄養剤顆粒が粒排出ホール５４ａを介して落下する方式で外部に排出され得る。
【００８５】
前記排出部５０による栄養剤顆粒の排出量は、ピックアッププレート５２の回転速度を調節したり、収容溝５２ａの個数を変更することによって適宜変更可能である。また、前記排出部５０による栄養剤顆粒の排出量は、ピックアッププレート５２の回転速度及び収容溝５２ａの個数を用いて算出したり、別途のセンサーを通じて栄養剤顆粒の排出量を検出することができる。
【００８６】
以下では、第１のセンサー５６ａ及び第２のセンサー５６ｂを用いて栄養剤顆粒の排出量をセンシングするように構成された例を挙げて説明する。
【００８７】
前記第１のセンサー５６ａは、粒排出ホール５４ａの一端に隣接するように提供することができ、前記第２のセンサー５６ｂは、粒排出ホール５４ａの他端に隣接するように提供することができる。前記第１のセンサー５６ａは、粒排出ホール５４ａに接近する収容溝５２ａへの栄養剤顆粒の収容有無を感知することができ、前記第２のセンサー５６ｂは、粒排出ホール５４ａを通過した収容溝５２ａからの栄養剤顆粒の排出有無を感知することができる。すなわち、前記第１のセンサー５６ａは、粒排出ホール５４ａに接近する収容溝５２ａに正常に栄養剤顆粒が収容されているかどうかをセンシングし、第２のセンサー５６ｂは、粒排出ホール５４ａを通過した収容溝５２ａから栄養剤顆粒が正常に排出されたかどうかをセンシングすることによって、栄養剤顆粒の排出量を正確にカウンティングすることができる。
【００８８】
前記第１のセンサー５６ａ及び第２のセンサー５６ｂとしては、通常のフォトセンサー、ビームセンサー及び接触センサーなどを使用することができ、センサーの種類及び特性によって本発明が制限または限定されることはない。
【００８９】
このように、垂直に回転するピックアッププレートを用いた排出部は、栄養剤顆粒間の摩擦による粉塵及び破損を最小化することができ、ピックアッププレートの回転時、ピックアッププレートとガイド部材との間に栄養剤顆粒が挟まる現象を最小化することができる。
【００９０】
他の一例として、図５〜図７を参照すると、前記貯蔵部４０'は、専用テーブル９０'上に固定的に設置することができる。以下では、前記貯蔵部４０'が貯蔵容器４１'及び開閉部材４２'を含んで構成された例を挙げて説明する。
【００９１】
前記貯蔵容器４１'は、要求される条件及び設計仕様に応じて円状、四角形状または多角形状などの多様な形態に形成することができる。前記貯蔵容器４１'の上部には開口部を形成することができ、貯蔵容器４１'の下部には、栄養剤顆粒を排出するための排出孔（図示せず）を形成することができる。
【００９２】
前記開閉部材４２'は、貯蔵容器４１'の上部開口部を開閉するために提供される。一例として、前記開閉部材４２'は、貯蔵容器４１'の上部に一端を中心に回転開閉可能に提供することができる。場合に応じては、開閉部材を通常のスライディング方式でスライド開閉可能に提供することができ、開閉部材の開閉方式によって本発明が制限または限定されることはない。
【００９３】
前記貯蔵容器４１'に貯蔵された栄養剤顆粒が一定未満である場合は、開閉部材４２'を開放し、開口部を介して栄養剤顆粒を充填することができる。
【００９４】
また、前記貯蔵容器４１'の内部には、栄養剤顆粒の流動経路を定義するためのガイドプレート４３'を提供することができ、栄養剤顆粒は、ガイドプレート４３'に定義される流動経路に沿って排出部５０'に案内することができる。
【００９５】
前記ガイドプレート４３'の構造及び配置構造は、要求される条件及び設計仕様に応じて多様に変更可能である。一例として、複数のガイドプレート４３'は、互いに異なる高さに配置されるように上下方向に沿って離隔して左右交互に提供され、ジグザグ状の流動経路を定義することができる。このような構造により、前記貯蔵容器４１'に投入された栄養剤顆粒は、各ガイドプレート４３'に沿って流動しながら排出部５０'に伝達され得る。併せて、貯蔵容器４１'に投入された栄養剤顆粒は、各ガイドプレート４３'に沿ってジグザグ方式で流動し得るので、落下速度及び摩擦による閉塞現象を防止することができる。
【００９６】
そして、前記貯蔵容器４１'には、湿度変化などによる栄養剤顆粒の供給不良を防止するための通風口４１ａ'を形成することができる。一例として、貯蔵容器４１'の底面一側に通風口４１ａ'を形成することができる。場合に応じては、貯蔵容器の側面または上面に通風口を形成することができ、これとは異なり、通風口が選択的に開閉されるように構成することも可能である。
【００９７】
前記排出部５０'は、貯蔵部４０'から供給される栄養剤顆粒を粒単位で排出できる多様な構造で提供することができる。一例として、前記排出部５０'は、第１のプレート５２'及び第２のプレート５４'を含んで構成することができる。
【００９８】
前記第１のプレート５２'は、所定直径を有する円板状に形成することができ、前記第１のプレート５２'には、貯蔵部４０'から供給された栄養剤顆粒を粒単位で収容するための収容溝５２ａ'が形成される。一例として、前記第１のプレート５２'の周縁には、円周方向に沿って離隔するように複数の収容溝５２ａ'を形成することができる。収容溝の個数及び離隔間隔は、要求される条件及び設計仕様に応じて適宜変更可能である。
【００９９】
前記第２のプレート５４'は、第１のプレート５２'に対して相対回転可能に第１のプレート５２'の下部に提供され、前記第２のプレート５４'には収容溝５２ａ'に対応する粒排出ホール５４ａ'が形成される。一例として、前記栄養剤顆粒が粒排出ホール５４ａ'をより円滑に通過できるように、粒排出ホール５４ａ'は、収容溝５２ａ'より相対的に長い長さを有するように曲線状スロットの形態に形成することができる。場合に応じては、収容溝及び粒排出ホールが互いに同一のサイズ及び形態を有するように形成されることもある。
【０１００】
参考までに、前記第１のプレート５２'に対して第２のプレート５４'が相対回転することは、第１のプレートが固定された状態で第２のプレートが回転する方式、及び第２のプレートが固定された状態で第１のプレートが回転する方式を全て含むことを意味するものと理解することができる。以下では、第２のプレート５４'が固定された状態で第１のプレート５２'が通常の駆動モーター５３'によって回転するように構成された例を挙げて説明する。駆動モーター５３'としては、通常のスタンピングモーター、サーボモーター、ステッピングモーター、直流モーター及び交流モーターなどの多様なモーターを使用することができ、駆動モーターの種類及び特性によって本発明が制限または限定されることはない。
【０１０１】
このような構造により、前記第１のプレート５２'と第２のプレート５４'との間の相対回転時、収容溝５２ａ'と粒排出ホール５４ａ'とが垂直方向に沿って互いに一致するように配置される場合、前記収容溝５２ａ'に収容された栄養剤顆粒が粒排出ホール５４ａ'を介して排出され得る。すなわち、前記収容溝５２ａ'と粒排出ホール５４ａ'とが互いに一致しないように配置された状態では、収容溝５２ａ'の下部が第２のプレート５４'によって遮断されることによって収容溝５２ａ'に収容された栄養剤顆粒が排出され得なく、収容溝５２ａ'と粒排出ホール５４ａ'とが上下方向に沿って互いに一致するように配置される場合のみに、収容溝５２ａ'に収容された栄養剤顆粒が粒排出ホール５４ａ'を介して落下する方式で外部に排出され得る。
【０１０２】
また、前記排出部５０'は、栄養剤顆粒の排出がより確実に行われるように栄養剤顆粒を排出する排出部材５８'を含むことができる。
【０１０３】
以下では、粒排出ホール５４ａ'に隣接するように排出部材５８'が提供され、前記排出部材５８'により、粒排出ホール５４ａ'に接近する収容溝５２ａ'から栄養剤顆粒が排出されるように構成された例を挙げて説明する。参考までに、粒排出ホール５４ａ'に接近する収容溝５２ａ'とは、第１のプレート５２'に形成された複数の収容溝５２ａ'のうち第１のプレート５２'が回転することによって、粒排出ホール５４ａ'に最も隣接するように接近する収容溝を意味するものと理解することができる。
【０１０４】
一例として、前記第１のプレート５２'には、収容溝５２ａ'と連通するようにガイド溝５２ｂ'を形成することができ、前記排出部材５８'の下端一部はガイド溝５２ｂ'に収容することができる。したがって、前記粒排出ホール５４ａ'に接近する収容溝５２ａ'に収容された栄養剤顆粒は、排出部材５８'によって加圧されながら排出され得る。
【０１０５】
このような構造により、栄養剤顆粒の排出が正常に行われにくい条件でも栄養剤顆粒の排出を確実に行うことができる。例えば、栄養剤顆粒が収容溝の内部にくっ付いた場合にも、栄養剤顆粒は、排出部材によって加圧され得るので確実に排出され得る。場合に応じては、排出部材として、スプリング部材、ソレノイド、回転部材などを使用することもでき、排出部材の種類及び特性によって本発明が制限または限定されることはない。
【０１０６】
前記排出部５０'による栄養剤顆粒の排出量は、第１のプレート５２'の回転速度を調節したり、収容溝５２ａ'の個数を変更することによって適宜変更可能である。また、前記排出部５０'による栄養剤顆粒の排出量は、第１のプレート５２'の回転速度及び収容溝５２ａ'の個数を用いて算出したり、別途のセンサーを通じて栄養剤顆粒の排出量を検出することができる。
【０１０７】
以下では、第１のセンサー５６ａ'及び第２のセンサー５６ｂ'を用いて栄養剤顆粒の排出量をセンシングするように構成された例を挙げて説明する。
【０１０８】
前記第１のセンサー５６ａ'は、粒排出ホール５４ａ'の一端に隣接するように提供することができ、前記第２のセンサー５６ｂ'は、粒排出ホール５４ａ'の他端に隣接するように提供することができる。前記第１のセンサー５６ａ'は、粒排出ホール５４ａ'に接近する収容溝５２ａ'への栄養剤顆粒の収容有無を感知することができ、前記第２のセンサー５６ｂ'は、粒排出ホール５４ａ'を通過した収容溝５２ａ'からの栄養剤顆粒の排出有無を感知することができる。すなわち、前記第１のセンサー５６ａ'は、粒排出ホール５４ａ'に接近する収容溝５２ａ'に正常に栄養剤顆粒が収容されているかどうかをセンシングし、第２のセンサー５６ｂ'は、粒排出ホール５４ａ'を通過した収容溝５２ａ'から栄養剤顆粒が正常に排出されたかどうかをセンシングすることによって、栄養剤顆粒の排出量を正確にカウンティングすることができる。
【０１０９】
前記第１のセンサー５６ａ'及び第２のセンサー５６ｂ'としては、通常のフォトセンサー、ビームセンサー及び接触センサーなどを使用することができ、センサーの種類及び特性によって本発明が制限または限定されることはない。また、前記第２のプレートには、第１のセンサー５６ａ'及び第２のセンサー５６ｂ'を保護するためのカバー部材５６ｃ'を提供することもできる。
【０１１０】
一方、前記供給部３０の下部には、各供給部３０から供給された栄養剤顆粒を一ヶ所に集合させるためのホッパー６０を提供することができる。前記各供給部３０からホッパー６０に供給された各栄養剤顆粒は、ホッパー６０の傾斜安内面に沿って中間部位に案内され、集合された状態で包装部７０に案内され得る。
【０１１１】
また、前記ホッパー６０には、ホッパー６０を洗浄するための洗浄部（図示せず）を提供することができる。一例として、前記洗浄部は、通常の気体（例えば、空気）及び振動のうち少なくともいずれか一つを用いてホッパー６０を洗浄するように構成することができる。参考までに、本発明では、各供給部３０から栄養剤が粉末または液状でない顆粒の形態で供給され得るので、別途に液体（例えば、水）を噴射せず、気体を噴射したり、振動を発生させるだけでもホッパー６０を効果的に洗浄することができる。
【０１１２】
前記包装部７０は、各供給部３０から供給された栄養剤顆粒を１回服用量単位別に包装するために提供される。前記包装部７０は、要求される条件及び設計仕様に応じて多様な方式で撹拌された栄養剤顆粒を予め決定された所定単位別に包装できるように提供され、包装部７０の構造及び方式によって本発明が制限または限定されることはない。
【０１１３】
一例として、図８を参照すると、前記包装部７０は、フィルムを連続的に供給するフィルム供給部７２と、前記フィルムに提供される複数の包装空間に撹拌された前記栄養剤顆粒を案内する案内部７３と、前記包装空間の開口部を接着する接着部７４と、前記フィルムを前記包装空間に対応する個別単位にカッティングするカッティング部７５とを含んで構成することができる。
【０１１４】
前記フィルム供給部７２は、フィルムがロール状に巻き取られる巻き取りローラーと、巻き取りローラーから供給されるフィルムを案内する案内ローラーとを含んで構成することができ、フィルム供給部７２の構造及び特性によって本発明が制限または限定されることはない。本発明の実施例では、巻き取りローラーから供給されるフィルムが案内ローラーによって約９０度転換された状態で案内されるように構成された例を挙げて説明しているが、要求される条件及び設計仕様に応じて異なる角度及び異なる方式でフィルムが案内されるように構成することができる。
【０１１５】
また、前記フィルム供給部７２は、巻き取りローラーに残ったフィルムの量を感知するためのフィルム感知センサー７１０を含むことができ、前記フィルム感知センサーとしては、フィルムの残量を感知可能な多様なセンサーを使用することができる。
【０１１６】
併せて、前記フィルムには、独立的に分割された複数の包装空間を提供することができる。前記包装空間は、上述したフィルム供給部７２からフィルムが供給される間に形成できるが、これとは異なり、フィルム供給部７２から既に包装空間が形成されたフィルムを供給するように構成することも可能である。
【０１１７】
前記案内部７３は、フィルムに提供される複数の包装空間に撹拌された栄養剤顆粒を案内するために提供される。
【０１１８】
一例として、前記案内部７３は、ホッパー６０の出口に上下方向に沿って直線移動可能に隣接するように提供され、ホッパー６０で集合された栄養剤顆粒を包装空間の開口部に案内できるように提供することができる。また、前記案内部７３は、包装空間の開口部を予め広げるためのナイフ７３ａを含むことができる。
【０１１９】
前記接着部７４は、包装空間に栄養剤顆粒が充填された後、包装空間の開口部を接着するように提供される。前記接着部７４は、通常の熱接着方式で包装空間の開口部を密封するように構成することができ、場合に応じては、通常の接着剤を用いて密封するように構成することもできる。
【０１２０】
前記カッティング部７５は、フィルムを包装空間に対応する個別単位にカットティングするために提供することができ、前記カッティング部７５としては、要求される条件及び設計仕様に応じて通常の多様なカッティング機を使用することができる。
【０１２１】
このように包装された栄養剤は、図９の（ａ）を通じて確認することができ、包装された栄養剤は、上述したテーブル９０の排出コンベヤー９１を介して外部に排出され得る。
【０１２２】
一方、図１０は、本発明の他の実施例に係る個人別カスタマイズ型栄養剤調剤装置を示した図で、図１１は、本発明の他の実施例に係る個人別カスタマイズ型栄養剤調剤装置における供給部を説明するための図で、図１２は、本発明の他の実施例に係る個人別カスタマイズ型栄養剤調剤装置における貯蔵部を説明するための図である。そして、図１３は、本発明の他の実施例に係る個人別カスタマイズ型栄養剤調剤装置における貯蔵部の変形例を説明するための図で、図１４及び図１５は、本発明の他の実施例に係る個人別カスタマイズ型栄養剤調剤装置における供給部の作動構造を説明するための図で、図１６は、本発明の他の実施例に係る個人別カスタマイズ型栄養剤調剤装置における真空吸入部を説明するための図で、図１７は、本発明の他の実施例に係る個人別カスタマイズ型栄養剤調剤装置における供給部の変形例を説明するための図である。併せて、上述した構成と同一の部分及び同一の部分に相当する部分に対しては同一の参照符号または同一の部分に相当する参照符号を付与し、それについての詳細な説明は省略する。
【０１２３】
図１０〜図１７を参照すると、本発明の他の実施例に係る個人別カスタマイズ型栄養剤調剤装置は、データ処理部（図示せず）と、貯蔵部４００及び排出部５００を含む供給部３００と、包装部７００とを含み、排出部５００は、ピックアップローラー５１０及びアクチュエーター５２０を含んで構成することができる。
【０１２４】
図１２を参照すると、前記貯蔵部４００は、専用テーブル（図１の９０参照）上に固定的に設置することができる。一例として、前記貯蔵部４００は、貯蔵容器４１０及び開閉部材４２０を含んで構成することができる。
【０１２５】
前記貯蔵容器４１０は、要求される条件及び設計仕様に応じて円状、四角形状または多角形状などの多様な形態に形成することができる。前記貯蔵容器４１０の上部には開口部を形成することができ、貯蔵容器４１０の下部には、栄養剤顆粒を排出するための排出孔を形成することができる。
【０１２６】
前記開閉部材４２０は、貯蔵容器４１０の上部開口部を開閉するために提供される。一例として、前記開閉部材４２０は、貯蔵容器４１０の上部に一端を中心に回転開閉可能に提供することができる。場合に応じては、開閉部材を通常のスライディング方式でスライド開閉可能に提供することができ、開閉部材の開閉方式によって本発明が制限または限定されることはない。
【０１２７】
前記貯蔵容器４１０に貯蔵された栄養剤顆粒が一定未満である場合は、開閉部材４２０を開放し、開口部を介して栄養剤顆粒を充填することができる。
【０１２８】
また、前記貯蔵容器４１０には、貯蔵容器４１０の内部に貯蔵された栄養剤顆粒の貯蔵量を感知するための貯蔵量感知センサー４３０を提供することができる。前記貯蔵量感知センサー４３０としては、栄養剤顆粒の貯蔵量を感知可能な通常のセンサーを使用することができ、センサーの種類及び特徴によって本発明が制限または限定されることはない。
【０１２９】
前記貯蔵量感知センサー４３０で測定された測定値が予め設定された設定値未満であると判別される場合、警報信号を出力するための警報発生部４４０を提供することができる。したがって、管理者は、栄養剤顆粒の貯蔵量が一定基準未満である場合、警報信号を通じてこれを直ぐ認知して栄養剤顆粒を補充することができ、栄養剤顆粒は、中断することなく連続的に供給することができる。
【０１３０】
ここで、警報信号は、通常の音響手段による聴覚的警報信号、及び通常の警告灯による視覚的警報信号のうち少なくとも一つを含むことができ、その他にも、使用者が認知可能なその他の多様な警報信号を含むことができる。
【０１３１】
一方、図１３を参照すると、貯蔵部４００'は、専用テーブル上に選択的に分離可能に装着することができ、要求される条件に応じて他の貯蔵部４００'に取り替えることができる。一例として、貯蔵部は、貯蔵容器４１０'及び区画部材４２０'を含んで構成することができる。
【０１３２】
前記貯蔵容器４１０'は、要求される条件及び設計仕様に応じて円状、四角形状または多角形状などの多様な形態に形成することができる。前記貯蔵容器４１０'の下部には、栄養剤顆粒を排出するための排出孔を形成することができ、貯蔵容器４１０'の下部開口部は下部キャップ（図示せず）によって閉鎖することができる。
【０１３３】
前記区画部材４２０'は、貯蔵容器４１０'の内部に提供され、貯蔵容器４１０'の内部空間を、栄養剤顆粒が貯蔵される貯蔵空間と、除湿剤が収容される収容空間とに区画することができる。併せて、前記区画部材４２０'には複数の連通スロット４２２'を形成することができ、前記貯蔵空間及び収容空間は連通スロット４２２'によって互いに連通し得る。
【０１３４】
前記区画部材４２０'は、要求される条件及び設計仕様に応じて多様な形状に提供することができる。一例として、前記区画部材４２０'は、一種の円錐（ｃｏｎｅ）またはじょうご（ｆｕｎｎｅｌ）形状を有するように形成することができ、栄養剤顆粒は、区画部材４２０'の傾斜面に沿って排出孔を介して貯蔵容器４１０'の外部に排出され得る。
【０１３５】
前記区画部材４２０'によって区画された収容空間には除湿剤を収容することができ、除湿剤としては、シリカゲルなどの通常の除湿剤を使用することができる。場合に応じては、その他の除湿剤を使用することができ、除湿剤の種類及び特性によって本発明が制限または限定されることはない。
【０１３６】
図１１を参照すると、前記排出部５０は、ピックアップローラー５１０及びアクチュエーター５２０を含んで構成されるが、栄養剤顆粒は、ピックアップローラー５１０が回転することによって、ピックアップホール５１２によって粒単位でピックアップされた後で排出され得る。また、前記排出部５０は真空吸入部５６０を含むことができ、前記真空吸入部５６０による真空吸入力によって栄養剤顆粒がピックアップホール５１２に真空吸入方式でピックアップされるように構成された例を挙げて説明する。
【０１３７】
図１４及び図１５を参照すると、前記ピックアップローラー５１０は、貯蔵部４００の出口に隣接するように回転可能に提供され、前記ピックアップローラー５１０の外周面には、栄養剤顆粒をピックアップするためのピックアップホール５１２を形成することができる。
【０１３８】
前記ピックアップホール５１２は、栄養剤顆粒を粒単位でピックアップ可能なサイズに形成することができ、ピックアップホール５１２の個数及び離隔間隔は多様に変更可能である。以下では、ピックアップローラー５１０が初期位置（ピックアップ前の状態）にあるとき、ピックアップホール５１２がピックアップローラー５１０の下部に配置されるように構成され、前記栄養剤顆粒がピックアップホール５１２に粒単位で一つずつ真空吸入されるように前記ピックアップホール５１２が栄養剤顆粒より相対的に小さいサイズ（または直径）に形成された例を挙げて説明する。場合に応じては、ピックアップホールが栄養剤顆粒に対応するサイズに形成されることもある。
【０１３９】
前記アクチュエーター５２０は、ピックアップローラー５１０を回転させるための駆動力を提供する。前記アクチュエーター５２０としては、要求される条件及び設計仕様に応じて多様な方式のアクチュエーター５２０を使用することができ、アクチュエーター５２０とピックアップローラー５１０との間の連結構造によって本発明が制限または限定されることはない。
【０１４０】
以下では、前記アクチュエーター５２０が直線駆動力を提供するように構成され、前記ピックアップローラー５１０にはアクチュエーター５２０の直線駆動力を回転駆動力に変換するための連動部材５３０が連結された例を挙げて説明する。一例として、前記アクチュエーター５２０としては、直線駆動力を提供する通常のソレノイドを使用することができ、前記連動部材５３０は、ピックアップローラー５１０と共に一体に回転可能にピックアップローラー５１０の側面に連結され得るので、アクチュエーター５２０の直線駆動力によって連動部材５３０が押されて回転することによってピックアップローラー５１０が共に回転し得る。このために、前記連動部材５３０には上下方向に沿って長孔を形成することができ、アクチュエーターの可動部は連動部材の長孔に沿って移動し得る。
【０１４１】
併せて、前記連動部材５３０には復帰スプリング５５０を連結することができ、ピックアップローラー５１０による栄養剤顆粒のピックアップが完了した後、連動部材５３０は、復帰スプリング５５０の弾性力によって初期位置（ピックアップ前の状態）に復帰することができ、ピックアップローラー５１０も初期位置に復帰することができる。場合に応じては、別途の復帰スプリングを排除し、アクチュエーターの自体復元力によって連動部材及びピックアップローラーが初期位置に復帰するように構成することも可能である。
【０１４２】
また、前記排出部５０は、ピックアップローラー５１０によってピックアップされた栄養剤顆粒を移送する移送ガイド部５４０を含むことができる。一例として、前記移送ガイド部５４０は、貯蔵部４００の出口及びピックアップローラー５１０を取り囲むように形成することができ、移送ガイド部５４０には、栄養剤顆粒を粒単位で移送するための粒移送ホール５４２を形成することができる。前記粒移送ホール５４２は、出口側に下向きに傾斜するように形成することができ、粒移送ホール５４２に流入した栄養剤顆粒は粒移送ホール５４２の傾斜によって移送され得る。場合に応じては、別途の移送ガイド部を排除し、ピックアップローラーによってピックアップされた栄養剤顆粒が直接移送されるように構成することも可能である。
【０１４３】
また、前記移送ガイド部５４０には、貯蔵部４００から供給された栄養剤顆粒がピックアップされる前に一時的に積載される一時積載部５４４を形成することができ、貯蔵部４００から供給された栄養剤顆粒は、一時積載部５４４に一時的に積載された状態で、ピックアップローラー５１０によって粒単位でピックアップされた後、粒移送ホール５４２を通じて移送され得る。
【０１４４】
前記真空吸入部５６０は、栄養剤顆粒がピックアップホール５１２に真空吸入できるように真空吸入力を提供するために備えられ、前記真空吸入部５６０としては通常の真空ポンプを使用することができる。
【０１４５】
また、前記真空吸入部５６０の真空圧力を感知するための真空圧力感知センサー５６２を提供することができる。前記真空圧力感知センサー５６２としては、真空吸入部５６０の真空圧力を感知可能な通常のセンサーを使用することができ、前記真空圧力感知センサー５６２で感知される信号を用いて栄養剤顆粒の正常なピックアップ有無を感知することができる。前記真空圧力感知センサー５６２で既に設定された設定圧力が感知されると、ピックアップホール５１２を通じて栄養剤顆粒が正常にピックアップされたと判断することができ、前記真空圧力感知センサー５６２で既に設定された設定圧力より低い圧力が感知されると、栄養剤顆粒が非正常的にピックアップされたと判断することができる。また、栄養剤顆粒が非正常的にピックアップされた場合は、手動または自動操作によって追加的に栄養剤顆粒のピックアップが行われるように構成することができる。
【０１４６】
一方、前記真空吸入部５６０は、複数の供給部３０にそれぞれ個別的に提供できるが、これとは異なり、複数の供給部３０が一つの真空吸入部５６０を共用するように構成することもできる。図１６を参照すると、真空吸入部５６０と各供給部３０のピックアップローラー５１０は、複数の連結流路５６４によってそれぞれ独立的に連結することができ、前記各連結流路５６４上には、選択的に各連結流路５６４のうち少なくともいずれか一つを独立的に遮断する調節バルブ５６６を提供することができる。このような構造により、特定のピックアップローラー５１０で真空吸入によるピックアップが行われる間、他のピックアップローラー５１０は、調節バルブ５６６によって連結流路５６４が遮断されながらピックアップを中断することができ、このような方式で各供給部３０のピックアップローラー５１０によるピックアップ回数を独立的に適宜調節することができる。
【０１４７】
一方、上述した本発明の実施例では、ピックアップローラーが真空吸入方式で栄養剤顆粒をピックアップするように構成された例を挙げて説明しているが、場合に応じては、別途の真空吸入部を排除し、単純にピックアップローラーによって栄養剤顆粒が粒単位でピックアップされるように構成することができる。
【０１４８】
図１７を参照すると、ピックアップローラー５１０'は、貯蔵部４００の出口下部に隣接するように回転可能に配置することができ、ピックアップローラー５１０'の外周面には、栄養剤顆粒を粒単位で収容するためのピックアップホール５１２'を形成することができる。
【０１４９】
前記ピックアップローラー５１０'が初期位置（ピックアップ前の状態）にあるとき、ピックアップホール５１２'はピックアップローラー５１０'の上部に配置されるように構成することができ、貯蔵部４００の出口に落下する栄養剤顆粒は、粒単位でピックアップホール５１２'に収容することができる。その後、ピックアップローラー５１０が一定以上回転することによって、ピックアップホール５１２'に収容された栄養剤顆粒がピックアップホール５１２'の外部に排出され得る。参考までに、図１７では、ピックアップローラー５１０'に一つのピックアップホール５１２'のみが形成された例を挙げて説明しているが、場合に応じては、ピックアップローラーに複数のピックアップホールを離隔するように形成することができ、ピックアップローラーの回転時、ピックアップホールに沿って栄養剤顆粒を順次ピックアップすることができる。
【０１５０】
また、前記ピックアップローラー５１０'は、一種のラックアンドピニオン方式でアクチュエーター５２０'の直線駆動力によって直接回転するように構成することができる。場合に応じては、上述した実施例のように、ピックアップローラーが別途の連動部材を用いてアクチュエーターの直線駆動力によって回転するように構成することができる。
【０１５１】
上述及び図示した本発明の実施例では、ピックアップローラーによって栄養剤顆粒が粒単位で供給されるように構成された例を挙げて説明しているが、場合に応じては、スクリューフィーダー、スライド開閉部材または回転開閉部材などを用いて栄養剤顆粒が粒単位で供給されるように構成することも可能である。
【０１５２】
再び図１０を参照すると、前記包装部７００は、各供給部３００から供給された栄養剤顆粒を１回服用量単位別にカプセルの形態に包装するように構成することができる。前記包装部７００は、下部カプセル７２０ａを供給する下部カプセル供給部７２０と、上部カプセル７４０ａを供給する上部カプセル供給部７４０とを含むことができ、ホッパー６００で集合された栄養剤顆粒が下部カプセル７２０ａに充填された状態で下部カプセル７２０ａの上部に上部カプセル７４０ａを結合することができる。このように包装された栄養剤は、図９の（ｂ）を通じて確認することができる。
【０１５３】
また、前記カプセル単位で包装された栄養剤は、容器包装部８００によって特定の服用量単位で別途の包装容器８２０に包装することができる。前記容器包装部８００は、カプセル単位で包装された栄養剤を一週間服用量単位で包装容器８２０に包装することができる。前記包装容器８２０としては、瓶または筒状の通常の包装容器を使用することができ、包装容器の種類及び特性によって本発明が制限または限定されることはない。
【０１５４】
一方、上述及び図示した本発明の実施例では、包装部が撹拌された栄養剤顆粒を薬袋の形態またはカプセルの形態で包装するように構成された例を挙げて説明しているが、図９に示すように、包装部は、撹拌された栄養剤顆粒を（ｃ）スティック型袋などの他の形態に包装することができる。
【０１５５】
上述したように、本発明の好ましい実施例を説明したが、該当の技術分野で熟練した当業者であれば、下記の特許請求の範囲に記載した本発明の思想及び領域から逸脱しない範囲内で本発明を多様に修正及び変更可能であることを理解できるだろう。
【図１】
2015533331.tif 000003
【図２】
2015533331.tif 000004
【図３】
2015533331.tif 000005
【図４】
2015533331.tif 000006
【図５】
2015533331.tif 000007
【図６】
2015533331.tif 000008
【図７】
2015533331.tif 000009
【図８】
2015533331.tif 000010
【図９】
2015533331.tif 000011
【図１０】
2015533331.tif 000012
【図１１】
2015533331.tif 000013
【図１２】
2015533331.tif 000014
【図１３】
2015533331.tif 000015
【図１４】
2015533331.tif 000016
【図１５】
2015533331.tif 000017
【図１６】
2015533331.tif 000018
【図１７】
2015533331.tif 000019
【図２０】
2015533331.tif 000020
【図１８】
2015533331.tif 000021
【図１９】
2015533331.tif 000022
【国際調査報告】
2015533331.tif 000023
2015533331.tif 000024
2015533331.tif 000025
2015533331.tif 000026